(57)【要約】      （修正有）【課題】寄せしわによって、マスクの形が崩れ使い捨てになることがないファッション性のあるマスクを得る。【解決手段】ハンカチ布１７、３２、３７、４２とセットのおしゃれマスク１３、３０、３５、４０に対応の取り替えシート６３を取付け、このシートにノズル７４をつけたボドル７５から噴霧するミスト７２状のウォータタイプ保湿液７３を含浸させる。【選択図】  図１
2004181180.tif 000002
【特許請求の範囲】
【請求項１】
縁飾り２カットワーク３刺繍１０レース６ビーズ７リボン８、スカラップミシン９図柄模様４総図柄模様５地模様１２ブランド１１のサイン１１ａマーク１１ｂを活かした綿ローン２０のハンカチ布１７、３２、３７をおしゃれマスク１、３０、３５のサイズにする横長の折り山と谷山２１、２２、２３、２４、２１ａ、２２ａ、２３ａ、２４ａ、と縦の折り山２５、２６、２７、２８を重ね布１７ａ、１７ｂ、１７ｃ，１７ｄと共に折りたたんで上前１３、３３、３８下前１４、３４，３９、からなる持ち出し１４ａ、３４ａ、３９ａにより被覆仕立て１３ａ、３３ａ、３８ａに仕上げ，別布の重ね布の色彩２９、２９ａとゴムの色彩６１、６２と共に選択出来るハンカチとセットのおしゃれマスクの生産方法。
【請求項２】
横長にして折りたたんだ折り山、谷山４５、４６、４７、４８は更に縦２本の折り山４９、５０を三つに折りたたんだハンカチ布４２の中央部４２ｃにおしゃれマスク４０のサイズに合わせて折りたんだ重ね布５１、５１ａ、５１ｂ，を重ね入れて挟む上前４３と持ち出し４４ａからなる下前４４を設けて打ち合わせたたんだ被覆仕立て４３ａを設けて上前４３布を除き，重ね布５１、５１ａ、５１ｂ、５３、１６と下前４４布と共におしゃれマスク４０の裏側４０ａからゴム６１、６２を通すミシン１５を掛けて仕上げ，別布にする重ね布５１の色彩５２を選択可能の請求項１記載の表側にミシン目を見せないおしゃれマスクの生産方法。
【請求項３】
綿ローン２０のハンカチ布５７の総図柄模様５、５８に刺繍１０をしてカットワーク３した端のカット３ａを活かしたおしゃれマスク５４の下側を輪５７ａにした上前５５布は短めに下前５６布は長めの二枚重ねにした表側の裏側６０に左右の両側端に折り代５４ａをつけて折り山５９ｂを乗せるおしゃれマスク５４のサイズに合わせて折りたたんだ綿ローン２０の同色無地の重ね布５９と共に通して続く裏布５９ｂを設け左右両端の折り山５９ａにゴム６１、６２を通すミシン１５を掛けてカットワーク３のカット３ａ部分の縁飾り２を二枚重ねにして上に活かしたおしゃれマスクの生産方法。
【請求項４】
通気孔６３ａをつけた天然コットン６５と抗菌性フイルター６６の二重層６３ｂを一枚６３ｃにした取替えシート６３に装着６４ａと取り外し６４ｂ可能にする利便性を設けた左右両端に粘着テープ６４を設けてセットするおしゃれマスク１を清潔で衛生的にする取り替えシート。
【請求項５】
マイナスイオン６８、ハーブ６９、ミント７０、微香７１を選択して調整した精製水６７はノズル７４をつけたボトル７５にウオータタイプの保湿液７３を設けておしゃれマスク１にセットした取り替えシート６３、６３ａ、６３ｂ、６３ｃ６４、６４ａ、６４ｂ、６５，６６に必要分量だけ吹きかけ噴霧するミスト７２は呼吸を楽にするウオータータイプ保湿液。
【発明の詳細な説明】
【０００１】
【発明の属する技術分野】
本発明は、綿ローンのハンカチ布の図柄模様、総図柄模様、縁飾り、カットワーク，ブランドのサイン，マーク等を入れて活かしてマスクの形に折りたたんで設けたおしゃれマスクのサイズに対応のセットは装着、取り外し可能にする利便性は粘着テープにより清潔にして衛性的で通気孔を設けた取り替えシートを設けてノズルを付けたボトルによって必要分量だけ吹きかけ噴霧して呼吸を楽にするミストのウオータタイプ保湿液とハンカチとセットのおしゃれマスクの生産方法に関する。
【０００２】
【従来の技術】
従来はガーゼ仕様の白いマスクしかなく又、左右両端に丸みを付けた菱形状のマスクに廻りをバイヤス布で始末したマスクや、白いマスクにキャラクターを入れたマスクも知られている。その他に使い捨て用のプリーツを入れたマスクも知られている。又、マスクにセットするガーゼや荒めで薄いメッシユタイプのコットンは替えシートとしては知られている。他にメントールと水分量を多量に含ませた硬めのフイルターを中芯に挟んだ一枚を三重層にしてメッシユタイプの袋と共に五重層にしたフイルターをマスクにセットする方法も知られている。
【０００３】
【発明が解決しょうとする課題】
従来は、白いマスクを一度使用するとマスクはくたびれた状態となるため使い切りのことが多く又、カラス口を思わせる菱形状のマスクも見た目，不自然な感じを有しキャラクターの入ったマスクも一度使用するとゴムを通した左右の両端にシワが寄りいずれも洗濯すると丸くなる欠点が有りインフルエンザや花粉の時期になると丸くよれてくたびれた白いガーゼのマスクを掛けて通勤電車の中で椅子に腰掛け目をつむっている姿は不衛生で不潔を感じる問題点があった。又マスクと一対とした取替え用ガーゼは時間と共に異臭がする。一度使用したマスクは洗濯すると形が崩れてそのつど新たに買い求める不便を有し替えシートとして知られているガーゼや荒めで薄いメッシユタイプのコットンはマスクの中で遊動してよれてシワに成る欠点があり又メントールの他に水分量を多量に含ませた硬めのフイルターを中芯にして三重層を一枚にしたフイルターをさらにメッシユタイプの袋に入れてセットする手間がかかる上に五重層の厚みに成るのシートをマスクにあてて使用するとき水分量が多い上に密度が細かくなるために通気性に欠けるその実験は大きく呼吸するとフイルターを入れた袋とともに五重層の厚みのフイルターは鼻孔に張り付き吸着する欠点がある。
プリーツを入れたマスクも洗濯すると毛玉状に毛羽立ち抗菌度が低下する欠点があり使い捨てにする方法しかなかった。
【０００４】
【課題を解決ための手段】
本発明は，綿ローンのハンカチ布の図柄模様，総図柄模様，地模様，レース，刺繍，カットワーク，縁飾り，装飾等を用いたハンカチ布の美しさを最大限に活かし企業のブランドのサイン，マークを入れたハンカチとセットにしたおしゃれマスクは従来のマスクのように使い捨ての無駄を無くし左右にゴムを通す寄しわによって丸くなり形が崩れる欠点を解決しておしゃれマスクのサイズに対応する取り替えシートの左右両端の粘着テープは装着と取り外し可能にする利便性により清潔にして衛生的で遊動を防止する通気孔を設けた取り替えシートはノズルをつけたボトルによって必要分量だけ吹きかけ噴霧するミストのウオータタイプ保湿液はバック，ポケットに入るコンパクトサイズにして呼吸を楽にして好ましい。
ハンカチとセットにしたおしゃれマスクの生産方法により，プレゼントする人，される側の人にも喜ばれることにより市場での消費の流通機構につながりよってファッションとなる。
【０００５】
【発明の実施の形態】
本発明の綿ローンの布地を用いたハンカチ布はソフトで明るい色彩と図柄模様，総図柄模様，刺繍，カットワーク，スカラップミシン，レース，ビーズ，リボン，縁飾り，装飾等の美しさを最大限に活かし企業のブランドのサイン，マーク等を入れて清潔感があり明るく美しく楽しく好ましい。
ハンカチとセットにしたおしゃれマスクの生産方法の手段を設けて在庫として残っている既存のハンカチもすばらしいおしゃれマスクに生れ変わる。
【０００６】
おしゃれマスクに上前，下前を設けて被覆仕立てにして，ミシン目が見えない方法のおしゃれマスクも設けて左右両端のゴムによる寄りシワを防止しおしゃれマスクの色彩に合わせて左右に設けるゴムの色彩は選択出来る。又，おしゃれマスクの色に合わせて中に入れる重ね布の色彩も選択することができ，よって仕上がり美しく好ましい。
【０００７】
おしゃれマスクのサイズに対応する通気孔を設けた天然コットンは上に，下はウイルス，花粉，ハウスダスト等をシャウトアウトの通気の良い肌に優しい抗菌性フイルターを設けた二重層は一枚にして，装着，取り外し可能の利便性と遊動の防止は左右両端に粘着テープを付けた取替えシートを設けて，清潔にして衛生的にする。
【０００８】
おしゃれマスクにセットした取り替えシートにマイナスイオン，ハーブ，ミント，微香は精製水にて調整してバック，ポケットに入るコンパクトサイズにしてノズルを付けたボトルに入れて必要分量だけ吹きかけ噴霧するミストのウオータータイプ保湿液は呼吸を楽にする。
【０００９】
【実施例】
実施例について図面を参照して説明すると図１で示した綿ローン２０の布地に水玉の模様１９を入れ，スカラップミシン９の縁飾り２をしたハンカチ布１７を用いて設けたおしゃれマスク１（図柄、縁飾り等は一案の例として示した）は図２で示した４５０ミリから４７０ミリ四方のサイズのハンカチ布１７を右側と左側の二枚を縦に裁断１８した右側のハンカチ布１７はおしゃれマスク１の表側に用いて，横の折り山と谷山２１、２２、２３、２４、と縦の折り山２５，２６を折りたたむ。左側のハンカチ布１７はおしゃれマスク１の中に重ねて入れる重ね布１７ａ、１７ｂ、１７ｃ、１７ｄは横長の折り山，谷山２１ａ、２２ａ、２３ａ、２４ａを折りたたむ。更に縦の折り山２７、２８を折りたたむが左右の折代２７ａ２８ａは見えないように外側に向かって折りたたむ。この工程方法はハンカチ布１７のサイズによって左側端に僅かに残り布１７ｄが出来る。
【００１０】
上記で述べた横長に折りたたんだおしゃれマスク１のハンカチ布１７は縦２本の折り山２５、２６線を折りたたんだその上に，横と縦に折りたたんで仕上げた重ね布１７ａ、１７ｂ、１７ｃ、１７ｄを乗せ重ね合わせたおしゃれマスク１を被覆仕立て１３ａに仕上げるために上前１３布は上の方へ持ち上げてから折りたたんだ持ち出し１４ａ布の端を始末してごム６１を通すミシン１５を右側端に掛ける。（大量生産する時この重ね布は綿ローンの同色無地の別布にするとリスクが少なくできる。）
又，別布にするとき重ね布の色彩２９、２９ａはおしゃれマスク１に合わせて選択できる。次に右側端のミシン１５が掛け終ったら上前１３布は下側に下ろして上前１３布を正しい状態に整えてから，ゴム６１を通す左側端に上前１３布の上からミシン１５を掛ける。左右に通すゴムの色採６１、６２は選択できる。
【００１１】
上記で述べたおしゃれマスク１を被覆仕立て１３ａにした上前１３布の右端の上角と下角の２か所に僅かに見えない程度に押さえ止めミシン１５を掛けるか、手で押さえ止め縫い１６をして上前１３布の遊動を止める。
【００１２】
図４、５で示した綿レース３１の縁飾り２の見える上前３３部分にだけ逆Ｌ字状に綿レース３１を設けたおしゃれマスク３０と縦と横縞模様３６の図柄模様４のおしゃれマスク３５は図１で示したおしゃれマスク１と同じ工程方法であっていずれも一案の例にして示したものである。
【００１３】
図６に示したレース編４１の縁飾り２を付けたおしゃれマスク４０についての説明は図７で示した縦横４５０ミリ四方サイズのハンカチ布４２は横長に折り山，谷山４５、４６、４７、４８を折りたたむ。横長に折りたたんだハンカチ布４２は更に縦２本の折り山４９、５０を三つになるように折りたたんだ中央部４２ａに，綿ローン２０の同色無地で仕上げた重ね布５１を重ねて乗せる。
重ね布５１の作り方はハンカチ布４２をおしゃれマスク４０のサイズに折りたたむ時の枚数の厚みに（折りたたむときの枚数と厚みを計算に入れて折りたたむ）合わせて重ね布５１を横長に三つに折りたたみ打ち合わせて更に縦二本の折り山５３を三つに成るように折りたたむ。
重ね布５１を縦二本の折り山５３を三つに折りたたんだ左右端５１ａ、５１ｂは輪になるように簡単に仮しつけ程度にして外れないように整えて置く。更に左右端にゴム６１を通す留め縫い１６を横長に折りたたんだ折り山を巻くように重ねて留めておく。
【００１４】
次に縦二本の折り山４９、５０を三つに折りたたんだ左右端４９ａ、５０ａを打ち合わせたおしゃれマスク４０の中央部４２ａに，上記で述べて仕上げた重ね布５１を重ねて乗せる。おしゃれマスク４０の上前４３布だけを上の方向へはねるように上げて、下前４４布の右端５０ａを上前４３布の左側にある折り山４９の中で揃えるように重ね入れる。
上前４３布だけを上の方にはね上げた状態のままで裏返しておしゃれマスク４０の下側を上にして置いて，やや中央寄りに左右にミシン１５を掛ける。（上前布を縫いこまないようにする）次におしゃれマスク４０を表側に返して上前４３布を正しい状態に整えて上前４３布の右端の上下角に僅かに見えない程度に留め縫い１６をして上前４３布の遊動を留める。
最後に被覆仕立て４３ａに仕上げたおしゃれマスク４０の両端にゴムを通す。
重ね布５２、の色彩５２ａとゴム６１の色彩６２は選択できる。
おしゃれマスク４０の表側にミシン１５目を見せない方法を設けてゴム６１によるシワを防止して好ましい。
【００１５】
図８で示す説明のおしゃれマスク５４は四葉のクローバ模様５８を図案化した総図柄模様５のハンカチ布５７は一案例として示めして説明する。刺繍１０してカットワーク３したおしゃれマスク５４の下側を輪５７ａの二枚重ねにして、カットワーク３のカット３ａの端をおしゃれマスク５４の上側にして上前５５、下前５６を互いに僅かにずらして活かした二枚重ねのおしゃれマスク５４にした裏側６０の左右両端に折り代５４を設ける。裏側６０には綿ローン２０の同色無地の重ね布５９裏布５９ａ共に一枚布を用いて，おっしゃれマスク５４縦横の寸方幅サイズと厚みが合うように横長に折りたたんでから左右両端の折り山で縦に折りたたんで中に重ねて，最後に始末する裏布５９ａは左右両端の折り山５９ｂを設けて折り代５４ａの上に乗せて折り山５９ｂにミシン１５をかける。カットワーク３のカット３ａが二重に重なって美しくこのましい。最後に左右端にゴム６１、６２を通して仕上げる。
【００１６】
おしゃれマスク１のサイズに対応してセットする呼吸を楽にする通気孔６３ａを設けた天然コットン６５は上に、下はウイルス，花粉，ハウスダスト等をシャウトアウトのフイルター６６は肌に優しい通気の良い不織布を用いた二重層６３ｂは機材を用いて一枚６３ｃにして、装着６４ａ、取り外し６４ｂ可能の利便性を設けて左右両端に粘着てテープ６４を付けて遊動のズレを防止して清潔で衛生的にする。
【００１７】
おしゃれマスク１にセットした取り替えシート６３、６３ａ、６３ｂ、６３ｃ、６４、６５、６６に呼吸を楽にするバック，ポケットに入るコンパクトサイズにしたノズル６２を付けたボトル６３は必要分量だけ吹きかけ噴霧するミスト７２のウオータータイプ保湿液７３はマイナスイオン６８、ハーブ６９、ミント７０、微香７１等は精製水６７にて調整して設ける。
【００１８】
【発明の効果】
本発明はすばらしい色彩の図柄模様，総図柄模様，企業のブランドのサイン，マーク，縁飾り，装飾等を活かしたハンカチとセットにしたおしゃれマスクを生産することにより使い切りにしない，子供から大人まで利用して見た目衛生的で清潔感が有り明るく，美しく，楽しく好ましい。よってプレゼントにも喜ばれる。
おしゃれマスクに対応するサイズの取り替えシートは呼吸を楽にする通気孔を設けて装着，取り外し可能にする利便性は粘着テープを左右両端に用いて遊動のズレを防止して衛生的にする。
マイナスイオン，ハーブ，ミント，微香等は選択して精製水により調整してバック，ポケットに入るコンパクトサイズのノズルを付けたボトルに入れたウオータタイプ保湿液は呼吸を楽にする。
ハンカチとセットのおしゃれマスクと共に市場での消費の流通機構につながりファッションとなる。
【図面の簡単な説明】
【図１】おしゃれマスクの右側は被覆仕立てにした平面図。
【図２】ハンカチ布を裁断して折りたたみ線を示す斜視図。
【図３】おしゃれマスクに仕上げた工程を示す斜視図。
【図４】おしゃれマスク
【図１】と同じ案を縮小して示す斜視図。
【図５】おしゃれマスク
【図１】と同じ案を縮小して示す斜視図。
【図６】おしゃれマスクにミシン目を見せない斜視図。
【図７】ハンカチ布をおしゃれマスクにする工程を示す斜視図。
【図８】ハンカチ布をおしゃれますくにした平面図。
【図９】ハンカチ布をおしゃれマスクにした裏側の平面図。
【図１０】おしゃれマスクにセットした取り替えシートに噴霧するミストのウオータイタプ保湿液を示すボトルと共に一部切欠した斜視図。
【符号の説明】
１、３０、３５、４０、５４  おしゃれマスク
３、３ａ  カットワーク
４、１９、３６、５８  図柄模様
９  スカラップミシン
１０  刺繍
１３、３３、３８、４３、５５  上前
１３ａ、３３ａ、３８ａ、４３ａ  被覆仕立て
１４、３４、３９、４４，５６  下前
１４ａ、３４ａ、３９ａ、４４ａ  持ち出し
１５、１５ａ  ミシン
１６、１６ａ  留め縫い
１７、３２、３５、４０、５４  ハンカチ布
１８  裁断
２０  綿ローン
２１、２２、２３、２４、２５、２６  折り山
２１ａ、２２ａ、２３ａ、２４ａ、２７、２８  重ね布の折り山
３１  綿レース
４２、４２ａ、４２ｂ、４２ｃ
４５、４６、４７、４８、４９、５０  折り山
４９、５０  左右端
５９、５９ａ、５９ｂ  重ね布
６１、６２  ゴム
６３、６３ａ、６３ｂ、６３ｃ、６４、６５、６６  取り替えシート
６７，６８、６９、７０、７１、７２、７３、  ミストのウオータタイプ保湿液
７４、７５  ボトル
【図１】
2004181180.tif 000003
【図２】
2004181180.tif 000004
【図３】
2004181180.tif 000005
【図４】
2004181180.tif 000006
【図５】
2004181180.tif 000007
【図６】
2004181180.tif 000008
【図７】
2004181180.tif 000009
【図８】
2004181180.tif 000010
【図９】
2004181180.tif 000011
【図１０】
2004181180.tif 000012